(57)【要約】【課題】電子機器によって音声信号に付加されるノイズに係る音声が放音されることを防止する。【解決手段】車載オーディオ装置１において、音声信号が流れる音声信号ライン２０に接続され、音声信号の音量レベルを調整する電子ボリューム１６と、電子ボリューム１６の処理によって発生し、音声信号に付加されるポップ音の信号が有する波形と逆位相の波形を有する逆位相信号を生成し、生成した逆位相信号をポップ音の信号と混合するノイズ除去部２２と、を備えるようにした。【選択図】図１
2010124345.tif 000002
【特許請求の範囲】
【請求項１】
音声信号に係る音声を放音する音響装置において、
前記音声信号が流れる音声信号ラインに接続され、前記音声信号に処理を施す電子機器と、
前記電子機器の処理によって発生し、前記音声信号に付加されるノイズの信号が有する波形と逆位相の波形を有する逆位相信号を生成し、生成した前記逆位相信号を前記ノイズの信号と混合するノイズ除去手段と、を備えることを特徴とする音響装置。
【請求項２】
放音される音声の音量レベルの変更を指示する音量変更指示手段をさらに備え、
前記電子機器は、前記音量変更指示手段による音量レベルの変更の指示に基づいて、入力された前記音声信号の音量レベルを変更して出力する電子ボリュームであり、
前記ノイズ除去手段は、前記音量変更指示手段によって音量レベルの変更が指示された場合に、前記電子ボリュームによる音量レベルの変更によって発生し、前記音声信号に付加されるポップ音の信号が有する波形と逆位相の波形を有する逆位相信号を生成し、生成した逆位相信号を前記ポップ音の信号と混合することを特徴とする請求項１に記載の音響装置。
【請求項３】
変更前の音量レベルと変更後の音量レベルとの組み合わせを示す変化値と、変更前の音量レベルから変更後の音量レベルへと音量レベルが変更される際に発生するポップ音の信号の波形に係るデータと、を対応付けて記憶するノイズ記憶手段をさらに備え、
前記ノイズ除去手段は、前記音量変更指示手段によって音量レベルの変更が指示された場合に、前記ノイズ記憶手段が記憶する前記ポップ音の信号の波形に係るデータに基づいて、当該ポップ音の信号が有する波形と逆位相の波形を有する逆位相信号を生成し、生成した逆位相信号を前記ポップ音の信号と混合することを特徴とする請求項２に記載の音響装置。
【請求項４】
前記音量変更指示手段によって音量レベルの変更が指示された場合に、前記電子ボリュームが出力する音声信号に含まれるポップ音の信号を検出し、検出したポップ音の信号に基づいて、当該音量レベルの変更によって発生するポップ音の信号の波形を示すデータを生成するポップ音データ生成部をさらに備え、
前記ノイズ記憶手段は、前記変化値と対応付けて、前記ポップ音データ生成部が生成したポップ音の信号の波形を示すデータを記憶することを特徴とする請求項３に記載の音響装置。
【請求項５】
前記ノイズ除去手段は、前記音量変更指示手段によって音量レベルの変更が指示された場合に、前記ポップ音の信号を検出するとともに、検出したポップ音の信号に基づいて、当該ポップ音の信号が有する波形と逆位相の波形を有する逆位相信号を生成し、生成した逆位相信号を前記ポップ音の信号と混合することを特徴とする請求項２に記載の音響装置。
【請求項６】
音声信号ラインに接続され、前記音声信号ラインを流れる音声信号に処理を施す電子機器を備え、前記音声信号ラインを流れる音声信号に係る音声を放音する音響装置の制御方法であって、
前記電子機器の処理に起因して発生して前記音声信号に付加されるノイズの信号が有する波形と逆位相の波形を有する逆位相信号を生成し、生成した前記逆位相信号を前記ノイズの信号と混合することを特徴とする音響装置の制御方法。
【発明の詳細な説明】
【技術分野】
【０００１】
本発明は、音声信号に係る音声を放音する音響装置、及び、この音響装置の制御方法に関する。
【背景技術】
【０００２】
従来、電子機器たる電子ボリュームを備え、この電子ボリュームによって音量レベルを変更した音声をスピーカから出力するオーディオ装置（音響装置）が知られている（例えば、特許文献１参照）。
この種の音響装置では、リモートコントローラや、タッチパネルなどを介して、ユーザがスピーカから出力される音声の音量を変更可能に構成してあるのが一般的である。
【特許文献１】特開平５−１４５２５７号公報
【発明の開示】
【発明が解決しようとする課題】
【０００３】
しかしながら、上述した音響装置では、ユーザが音声の音量の変更を指示した場合、電子ボリュームによる音量レベルの変更に際し、電子ボリュームのスイッチングノイズ（以下、「ポップ音」という）が発生し、このポップ音がスピーカから放音される、という問題がある。
本発明は、上述した事情に鑑みてなされたものであり、電子機器によって音声信号に付加されるノイズに係る音声が放音されることを防止した音響装置を提供することを目的とする。
【課題を解決するための手段】
【０００４】
上記目的を達成するために、本発明は、音声信号に係る音声を放音する音響装置において、前記音声信号が流れる音声信号ラインに接続され、前記音声信号に処理を施す電子機器と、前記電子機器の処理によって発生し、前記音声信号に付加されるノイズの信号が有する波形と逆位相の波形を有する逆位相信号を生成し、生成した前記逆位相信号を前記ノイズの信号と混合するノイズ除去手段と、を備えることを特徴とする。
この構成によれば、ノイズ除去手段によって、ノイズの信号の波形と位相が逆の波形を有する逆位相信号が生成され、この逆位相信号がノイズの信号と混合され、ノイズの信号が除去されるため、ノイズの信号に係る音声が放音されることを防止できる。
【０００５】
ここで、上記発明の音響装置において、放音される音声の音量レベルの変更を指示する音量変更指示手段をさらに備え、前記電子機器は、前記音量変更指示手段による音量レベルの変更の指示に基づいて、入力された前記音声信号の音量レベルを変更して出力する電子ボリュームであり、前記ノイズ除去手段は、前記音量変更指示手段によって音量レベルの変更が指示された場合に、前記電子ボリュームによる音量レベルの変更によって発生し、前記音声信号に付加されるポップ音の信号が有する波形と逆位相の波形を有する逆位相信号を生成し、生成した逆位相信号を前記ポップ音の信号と混合するようにしてもよい。
この構成によれば、音量変更指示手段によって音量レベルの変更が指示された場合、ノイズ除去手段によって、ポップ音の信号の波形と位相が逆の波形を有する逆位相信号が生成され、この逆位相信号がポップ音の信号と混合され、ポップ音の信号が除去されるため、ポップ音の信号に係る音声が放音されることを防止できる。
【０００６】
また、上記発明の音響装置において、変更前の音量レベルと変更後の音量レベルとの組み合わせを示す変化値と、変更前の音量レベルから変更後の音量レベルへと音量レベルが変更される際に発生するポップ音の信号の波形に係るデータと、を対応付けて記憶するノイズ記憶手段をさらに備え、前記ノイズ除去手段は、前記音量変更指示手段によって音量レベルの変更が指示された場合に、前記ノイズ記憶手段が記憶する前記ポップ音の信号の波形に係るデータに基づいて、当該ポップ音の信号が有する波形と逆位相の波形を有する逆位相信号を生成し、生成した逆位相信号を前記ポップ音の信号と混合するようにしてもよい。
この構成によれば、ノイズ記憶手段によって、変更前の音量レベルと変更後の音量レベルとの組み合わせを示す変化値と、変更前の音量レベルから変更後の音量レベルへと音量レベルが変更される際に発生するポップ音の信号の波形に係るデータと、が対応付けて記憶される。そして、音量変更手段によって音量レベルの変更が指示された場合に、ノイズ除去手段は、ノイズ記憶手段が記憶するポップ音の信号の波形に係るデータに基づいて、ポップ音の信号が有する波形と逆位相の波形を有する逆位相信号を生成する。このため、ノイズ除去手段は、変更前の音量レベルから変更後の音量レベルへと音量レベルが変更される際に発生するポップ音の信号に対応した逆位相信号を生成することができる。
【０００７】
また、上記発明の音響装置において、前記音量変更指示手段によって音量レベルの変更が指示された場合に、前記電子ボリュームが出力する音声信号に含まれるポップ音の信号を検出し、検出したポップ音の信号に基づいて、当該音量レベルの変更によって発生するポップ音の信号の波形を示すデータを生成するポップ音データ生成部をさらに備え、前記ノイズ記憶手段は、前記変化値と対応付けて、前記ポップ音データ生成部が生成したポップ音の信号の波形を示すデータを記憶するようにしてもよい。
この構成によれば、実際に電子ボリュームが出力する音声信号に含まれるポップ音の信号に基づいて生成されたポップ音の信号の波形を示すデータが、変化値と対応付けられてノイズ記憶手段によって記憶される。従って、ノイズ記憶手段によって、実際に電子ボリュームが出力する音声信号の波形が反映された、ポップ音の信号の波形を示すデータを記憶することができる。
【０００８】
また、上記発明の音響装置において、前記ノイズ除去手段は、前記音量変更指示手段によって音量レベルの変更が指示された場合に、前記ポップ音の信号を検出するとともに、検出したポップ音の信号に基づいて、当該ポップ音の信号が有する波形と逆位相の波形を有する逆位相信号を生成し、生成した逆位相信号を前記ポップ音の信号と混合するようにしてもよい。
この構成によれば、ノイズ除去手段は、音量変更指示手段によって音量レベルの変更が指示された場合に、ポップ音の信号を検出するとともに、検出したポップ音の信号に基づいて、当該ポップ音の信号が有する波形と逆位相の波形を有する逆位相信号を生成する。このため、ノイズ除去手段によって、実際に発生したポップ音に係る信号に対応した逆位相信号を生成することができる。
【０００９】
また、上記目的を達成するために、本発明は、音声信号ラインに接続され、前記音声信号に処理を施す電子機器を備え、前記音声信号ラインを流れる音声信号に係る音声を放音する音響装置の制御方法であって、前記電子機器の処理に起因して発生して前記音声信号に付加されるノイズの信号が有する波形と逆位相の波形を有する逆位相信号を生成し、生成した前記逆位相信号を前記ノイズの信号と混合することを特徴とする。
【発明の効果】
【００１０】
本発明によれば、電子機器によって付加されるノイズに係る音声が出力されることを防止できる。
【発明を実施するための最良の形態】
【００１１】
以下、図面を参照して本発明の実施の形態について説明する。
＜第１実施形態＞
図１は、第１実施形態に係る車載オーディオ装置１（音響装置）の機能的構成を示すブロック図である。車載オーディオ装置１は、車両に搭載され、ＣＤ（Compact Disc）やＭＤ（Mini Disc）などの各種メディアを再生するメディア再生装置（不図示）を備え、リモートコントローラ１０（音量変更指示部）や、タッチパネル１１（音量変更指示部）に対するユーザの操作に基づいて、メディアに記録された音声をスピーカ（不図示）から出力する装置である。
【００１２】
図１に示すように、車載オーディオ装置１は、制御部１２と、ＤＳＰ（Digital Signal Processor）１３と、記憶部１４（ノイズ記憶手段）と、リモートコントローラ１０と、タッチパネル１１と、を備えている。
制御部１２は、車載オーディオ装置１の各部を中枢的に制御するものであり、演算実行手段としてのＣＰＵ（Central Processing Unit）や、このＣＰＵに実行される制御プログラムや、この制御プログラムに係るデータ等を不揮発的に記憶するＲＯＭ（Read Only Memory）、ＣＰＵに実行されるプログラムやこのプログラムに係るデータ等を一時的に記憶するＲＡＭ（Random Access Memory）などを備えている。制御部１２は、図１に示すように、変化値検出部１２Ａと、ポップ音データ取得部１２Ｂと、を備えているが、これらについては、後述する。
【００１３】
リモートコントローラ１０は、車載オーディオ装置１の電源のオン／オフの指示や、メディア再生装置によるメディアの再生の開始などの各種指示をユーザが行うためのものであり、車載オーディオ装置１と無線通信可能に接続されている。本実施形態に係るリモートコントローラ１０は、少なくとも、音量アップキー１０Ａと、音量ダウンキー１０Ｂとを備えている。音量アップキー１０Ａは、スピーカから出力中の音声の音量レベルを上昇する場合にユーザによって操作されるキーであり、音量ダウンキー１０Ｂは、スピーカから出力中の音声の音量レベルを下降する場合にユーザによって操作されるキーである。
【００１４】
タッチパネル１１は、表示部１１Ａと、タッチ操作部１１Ｂと、を備えている。
表示部１１Ａは、液晶表示ディスプレイによって構成され、制御部１２の制御の下、再生中のメディアに関する情報などの各種情報を表示する。
タッチ操作部１１Ｂは、表示部１１Ａに重ねて配置され、ユーザによるタッチ操作を介した各種指示を受け付ける装置である。タッチ操作部１１Ｂは、ユーザによるタッチ操作を検出すると、タッチ操作された位置を示す操作信号を制御部１２に出力する。制御部１２は、タッチ操作部１１Ｂから入力された操作信号に基づいて、各種動作を実行する。
本実施形態では、タッチ操作部１１Ｂを操作することにより、ユーザは、スピーカから出力中の音声の音量レベルを上げることができ、また、スピーカから出力中の音声の音量レベルを下げることができる構成となっている。
【００１５】
なお、本実施形態では、スピーカから出力される音声の音量レベルとして、最も音量が小さいレベル１から、最も音量が大きいレベル４０まで存在している。ユーザは、リモートコントローラ１０の音量アップキー１０Ａや、音量ダウンキー１０Ｂ、タッチパネル１１のタッチ操作部１１Ｂを操作して、ある音量レベルから異なる音量レベルに段階的に音量を変更することができる。
【００１６】
記憶部１４は、ＥＥＰＲＯＭやフラッシュメモリなどによって構成され、制御部１２の制御の下、書き換え可能に各種データを記憶するものである。この記憶部１４には、上昇時テーブル１４Ａと、下降時テーブル１４Ｂとが記憶されているが、これらについては、後述する。
【００１７】
ＤＳＰ１３は、制御部１２の制御の下、音声信号に対し各種処理を施すものであり、電子ボリューム１６（電子機器）と、逆位相波形生成部１７と、信号混合部１８と、を備えている。
電子ボリューム１６は、音声信号が流れる音声信号ライン２０に接続された電子機器である。電子ボリューム１６には、上述したメディア再生装置から出力され、デコーダ（不図示）によってファイルの伸縮処理を含むデコード処理が施された音声信号が入力される。電子ボリューム１６は、制御部１２の制御の下、入力された音声信号の音量レベルを調整し、出力する。
【００１８】
電子ボリューム１６は、アナログボリュームと異なり、音量レベルを変更する際、半導体スイッチなどのスイッチのオン／オフに伴うスイッチングノイズたるポップ音が、音量レベルが最小単位で変更されるごとに発生する。例えば、ユーザが音量レベルをレベル１からレベル３に段階的に変更した場合、電子ボリューム１６によって音量レベルがレベル１からレベル２に変更される際にポップ音が発生し、さらに、電子ボリューム１６によって音量レベルがレベル２からレベル３に変更される際にポップ音が発生する。そして、発生したポップ音に係る信号は、電子ボリューム１６から出力される音声信号に付加されることとなる。
ここで、記憶部１４に記憶された上昇時テーブル１４Ａ、及び、下降時テーブル１４Ｂについて説明する。
【００１９】
図２（Ａ）は、記憶部１４に記憶された上昇時テーブル１４Ａを模式的に示す図であり、図２（Ｂ）は、下降時テーブル１４Ｂを模式的に示す図である。
上昇時テーブル１４Ａは、リモートコントローラ１０の音量アップキー１０Ａや、音量ダウンキー１０Ｂ、タッチパネル１１のタッチ操作部１１Ｂを介してユーザが音量レベルの上昇を指示した場合において、ある音量レベルから最小単位分レベルが上の音量レベルへと音量レベルが変更された場合に発生するポップ音に係る信号の波形を示すデータを、音量レベルの変化値ごとに記憶するものである。
なお、以下の説明において、例えば音量レベルがレベル２０からレベル２１へ変更されるなど、音量がある音量レベルから次の音量レベルへと最小単位で変更される場合において、変更前の音量レベルの値と変更後の音量レベルの値を組み合わせた値のことを、変化値というものとする。
【００２０】
図２（Ａ）に示すように、上昇時テーブル１４Ａの一件のレコードには、識別番号フィールド１４Ａ１と、変化値フィールド１４Ａ２と、ポップ音データフィールド１４Ａ３と、が含まれている。
識別番号フィールド１４Ａ１は、上昇時テーブル１４Ａのレコード毎に一意に付与される識別番号が格納されるフィールドある。
変化値フィールド１４Ａ２は、レベル１からレベル２への変更を示す変化値、乃至、レベル３９からレベル４０への変更を示す変化値が変化値ごとに格納されるフィールドである。
【００２１】
ポップ音データフィールド１４Ａ３は、対応する変化値が示す音量レベルの変更時に、電子ボリューム１６から出力され、音声信号に付加されるポップ音に係る信号の波形を示すデータであるポップ音データが格納される。ここで、電子ボリューム１６においてオン／オフされるスイッチが変化値ごとに異なり、ポップ音に係る信号の波形が変化値ごとに異なるため、ポップ音データは、変化値ごとに記憶されている。
なお、図２では、説明の便宜のために、ポップ音データを模式的に示しているが、ポップ音データは、後述する逆位相波形生成部１７によって後述する逆位相信号が生成できる程度に十分な内容を備えるデータであればよい。例えば、ポップ音データは、ポップ音に係る信号の周波数と、ピークとの組み合わせを数値によって表すデータである。
【００２２】
一方、下降時テーブル１４Ｂは、リモートコントローラ１０の音量アップキー１０Ａや、音量ダウンキー１０Ｂ、タッチパネル１１のタッチ操作部１１Ｂを介してユーザが音量レベルの下降を指示した場合において、ある音量レベルから最小単位分レベルが下の音量レベルへと音量レベルが変更された場合に発生するポップ音に係る信号の波形を示すデータを、音量レベルの変化値ごとに記憶するものである。図２（Ｂ）に示すように、下降時テーブル１４Ｂの１件のレコードには、識別番号フィールド１４Ｂ１と、変化値フィールド１４Ｂ２と、ポップ音データフィールド１４Ｂ３と、が含まれている。各フィールドに格納されるデータは、上昇時テーブル１４Ａと同様であるため、省略する。
【００２３】
次いで、制御部１２が備える変化値検出部１２Ａ、及び、ポップ音データ取得部１２Ｂについて説明する。
変化値検出部１２Ａは、ユーザによって、リモートコントローラ１０の音量アップキー１０Ａや、音量ダウンキー１０Ｂ、タッチパネル１１のタッチ操作部１１Ｂを介して、音量レベルの変更が指示された場合に、変化値を検出する。すなわち、変化値検出部１２Ａは、音量レベルの変更が指示された場合に、変更前の音量レベル、及び、変更前の音量レベルから最小単位の音量レベル分変更した後の音量レベルを示す変化値を検出する。なお、電子ボリューム１６では、音量レベルは、最小単位の音量レベルで段階的に変更されるため、例えば、ユーザが音量レベルをレベル１からレベル３に変更することを指示した場合、まず、レベル１からレベル２への変更を示す変化値、次いで、レベル２からレベル３への変更を示す変化値が、変化値検出部１２Ａによって検出されることとなる。
【００２４】
ポップ音データ取得部１２Ｂは、音量レベルの変更が指示された場合に、変化値検出部１２Ａによって検出された変化値に基づいて、当該変化値が示す音量レベルの変化時に発生するポップ音に係る信号の波形を示すデータであるポップ音データを取得する。具体的には、音量レベルの変更が指示された場合、ポップ音データ取得部１２Ｂは、上昇時テーブル１４Ａ、又は、下降時テーブル１４Ｂの変化値フィールド１４Ａ２、１４Ｂ２を参照し、変化値検出部１２Ａが検出した変化値に基づいて、当該変化値を示すデータが格納されたレコードを特定するとともに、特定したレコードのポップ音データフィールド１４Ａ３、１４Ｂ３に格納されたポップ音データを取得する。
【００２５】
さて、前掲図１に戻り、ＤＳＰ１３が備える逆位相波形生成部１７、及び、信号混合部１８について説明する。
逆位相波形生成部１７は、音量レベルの変更が指示された場合、制御部１２の制御の下、ポップ音データ取得部１２Ｂが取得したポップ音データに基づいて、当該ポップ音データが示す波形と逆の波形を有する信号である逆位相信号を生成し、所定のタイミングで出力する。ここで、逆位相波形生成部１７が生成した逆位相信号は、音量レベルの変更に伴って発生するポップ音に係る信号の波形と位相が逆の信号ということになる。
【００２６】
信号混合部１８は、電子ボリューム１６から入力された音声信号に含まれるポップ音に係る信号、及び、逆位相波形生成部１７から入力された逆位相信号を混合することにより、ポップ音に係る信号を逆位相信号によって打ち消し、ポップ音に係る信号を除去した後、音声信号を出力するものである。上述したように、逆位相信号は、ポップ音に係る信号の波形と逆の位相を有する波形を備えるため、ポップ音に係る信号と逆位相に係る信号とが混合されると、ポップ音に係る信号が除去される。
なお、逆位相波形生成部１７が信号混合部１８に逆位相信号を出力するタイミングは、信号混合部１８において、逆位相信号とポップ音に係る信号とが合成されるようなタイミングであり、例えば予め行われた試験の結果に基づいて予め定められる。
なお、逆位相波形生成部１７と、信号混合部１８と、によってノイズ除去部２２（ノイズ除去手段）が構成される。
【００２７】
信号混合部１８から出力された音声信号は、アンプ（不図示）によって増幅され、スピーカから音声となって出力される。
【００２８】
次いで、車載オーディオ装置１の動作について図３のフローチャートを用いて説明する。
まず、車載オーディオ装置１の制御部１２は、リモートコントローラ１０の音量アップキー１０Ａや、音量ダウンキー１０Ｂ、タッチパネル１１のタッチ操作部１１Ｂを介して、音量レベルの変更が指示されたか否かを監視する（ステップＳＡ１）。音量レベルの変更が指示されない場合（ステップＳＡ１：ＮＯ）、制御部１２は、監視を継続する。音量レベルの変更が指示された場合（ステップＳＡ１：ＹＥＳ）、制御部１２の変化値検出部１２Ａは、当該音量レベルの変更に対応する変化値を取得する（ステップＳＡ２）。次いで、制御部１２のポップ音データ取得部１２Ｂは、記憶部１４に記憶された上昇時テーブル１４Ａ、又は、下降時テーブル１４Ｂを参照し（ステップＳＡ３）、ステップＳＡ２で変化値検出部１２Ａが検出した変化値に対応するポップ音データを取得する（ステップＳＡ４）。次いで、制御部１２は、取得したポップ音データに基づいて、逆位相波形生成部１７を制御して、逆位相波形生成部１７に当該ポップ音データが示す波形と位相が逆の波形を有する逆位相信号を生成させ、出力させる（ステップＳＡ５）。逆位相波形生成部１７から出力された逆位相信号は、信号混合部１８において、電子ボリューム１６から出力された音声信号に含まれるポップ音に係る信号と混合され、音声信号に含まれるポップ音データに係る信号を除去する。
【００２９】
以上説明したように、本実施形態では、音声信号に係る音声を放音する車載オーディオ装置１が、音声信号が流れる音声信号ライン２０に接続され、音声信号の音量レベルを調整する電子ボリューム１６と、電子ボリューム１６の音量レベルの調整によって発生し、音声信号に付加されるポップ音の信号が有する波形と逆位相の波形を有する逆位相信号を生成し、生成した前記逆位相信号を前記ノイズの信号と混合するノイズ除去部２２と、を備えている。そして、リモートコントローラ１０の音量アップキー１０Ａや、音量ダウンキー１０Ｂ、タッチパネル１１のタッチ操作部１１Ｂを介して、音量レベルの変更が指示された場合、ノイズ除去部２２によって音声信号に付加されるポップ音の信号と、逆位相信号とが混合され、ポップ音の信号が除去されるため、ポップ音に係る音声が放音されることを防止できる。
【００３０】
また、本実施形態では、記憶部１４の上昇時テーブル１４Ａ、及び、下降時テーブル１４Ｂにおいて、変化値とポップ音データとが対応付けて記憶されるとともに、リモートコントローラ１０の音量アップキー１０Ａや、音量ダウンキー１０Ｂ、タッチパネル１１のタッチ操作部１１Ｂを介して、音量レベルの変更が指示された場合、ノイズ除去部２２の逆位相波形生成部１７は、上昇時テーブル１４Ａ、又は、下降時テーブル１４Ｂが記憶するポップ音データに基づいて、ポップ音の信号が有する波形と逆位相の波形を有する逆位相波形信号を生成する。ここで、電子ボリューム１６では、音量レベルを変更する際にオン／オフされるスイッチが変化値ごとに異なるため、ポップ音に係る信号の波形は、変化値ごとに異なっている。そして、上記構成によれば、ノイズ除去部２２の逆位相波形生成部１７が上昇時テーブル１４Ａ、及び、下降時テーブル１４Ｂに基づいて、逆位相信号を生成するため、変化値に対応した逆位相信号を生成することができる。
【００３１】
＜第２実施形態＞
次いで、図４を用いて第２実施形態に係る車載オーディオ装置１について説明する。なお、図４において図１に示す構成要素と同じものについては同一の符号を付し、その説明を省略する。
図４に示すように、本実施形態に係る車載オーディオ装置１の制御部１２は、ポップ音データ生成部１２Ｃを備えている。
【００３２】
第１実施形態で説明したように、リモートコントローラ１０の音量アップキー１０Ａや、音量ダウンキー１０Ｂ、タッチパネル１１のタッチ操作部１１Ｂを介して、音量レベルの変更が指示された場合、制御部１２が、電子ボリューム１６に対し、音量レベルの変更を指示する制御信号を出力する。その際、本実施形態では、電子ボリューム１６から音量レベル変更後の音声信号が制御部１２に出力される。ここで出力される音声信号には、ポップ音に係る信号が含まれている。
そして、電子ボリューム１６から音声信号が入力されると、制御部１２のポップ音データ生成部１２Ｃは、信号のピッチや、周波数、信号が入力されたタイミングなどに基づいて、ポップ音に係る信号を抽出し、当該ポップ音に係る信号の波形を示すポップ音データを生成する。
【００３３】
ポップ音データ生成部１２Ｃによって生成されたポップ音データは、当該ポップ音データに係るポップ音が発生した時の変化値と対応付けられて、上昇時テーブル１４Ａ、又は、下降時テーブル１４Ｂに記憶される。具体的には、制御部１２は、上昇時テーブル１４Ａ、及び、下降時テーブル１４Ｂの変化値フィールド１４Ａ２、１４Ｂ２に格納された値を参照し、ポップ音が発生した時の変化値を示すデータが格納されているレコードを特定する。そして、特定したレコードのポップ音データフィールド１４Ａ３、１４Ｂ３に、ポップ音データ生成部１２Ｃによって生成されたポップ音データを格納する。この場合、上昇時テーブル１４Ａ、及び、下降時テーブル１４Ｂのポップ音データフィールド１４Ａ３、１４Ｂ３には、最も新しく作成されたポップ音データが格納されることとなる。
【００３４】
なお、ポップ音データ生成部１２Ｃによってポップ音データが生成された場合、生成されたポップ音データをポップ音データフィールド１４Ａ３、１４Ｂ３に格納するのではなく、例えば、過去のポップ音データが示す値に、新たに生成されたポップ音データが示す値を加味して、平均値を算出し、算出した平均値をポップ音データフィールド１４Ａ３、１４Ｂ３に格納するようにしてもよい。
【００３５】
本実施形態によれば、車載オーディオ装置１は、リモートコントローラ１０の音量アップキー１０Ａや、音量ダウンキー１０Ｂ、タッチパネル１１のタッチ操作部１１Ｂを介して、音量レベルの変更が指示された場合に、電子ボリューム１６が出力する音声信号に含まれるポップ音の信号を検出し、検出したポップ音の信号に基づいて、ポップ音の信号の波形を示すデータを生成するポップ音データ生成部１２Ｃを備えている。そして、記憶部１４に記憶される上昇時テーブル１４Ａ、及び、下降時テーブル１４Ｂには、ポップ音データ生成部１２Ｃが生成したポップ音データが、変化値と対応付けて記憶される。従って、上昇時テーブル１４Ａ、及び、下降時テーブル１４Ｂには、実際に電子ボリューム１６が出力する音声信号の波形が反映されたポップ音データが記憶されることとなる。これにより、逆位相波形生成部１７によって、実際のポップ音に係る信号と対応した逆位相信号を生成することができる。
【００３６】
＜第３実施形態＞
次いで、図５を用いて第３実施形態に係る車載オーディオ装置１について説明する。なお、図５において図１に示す構成要素と同じものについては同一の符号を付し、その説明を省略する。
図５に示すように、本実施形態に係る車載オーディオ装置１のＤＳＰ１３は、ポップ音検出部２４と、遅延部２５と、をさらに備えている。ポップ音検出部２４、逆位相波形生成部１７、及び、信号混合部１８によってノイズ除去部２２が構成される。
【００３７】
電子ボリューム１６によって音量レベルが変更された音声信号は、遅延部２５、及び、ポップ音検出部２４に出力される。ここで出力される音声信号には、ポップ音に係る信号が含まれている。
ポップ音検出部２４は、制御部１２の制御の下、信号のピッチや、周波数、信号が入力されたタイミングなどに基づいて、電子ボリューム１６から入力された信号に含まれるポップ音に係る信号を抽出して検出し、当該ポップ音に係る信号を逆位相波形生成部１７に出力する。
逆位相波形生成部１７は、制御部１２の制御の下、ポップ音検出部２４から入力されたポップ音に係る信号に基づいて、当該信号の波形と逆の位相の波形を有する逆位相信号を生成し、信号混合部１８に出力する。
【００３８】
一方、遅延部２５は、電子ボリューム１６から出力された音声信号が、信号混合部１８に出力されるタイミングを遅延させることにより、信号混合部１８において、遅延部２５から入力される音声信号に含まれるポップ音に係る信号と、逆位相波形生成部１７から入力される逆位相信号とが確実に混合されるようにするものである。遅延部２５は、ポップ音に係る信号と、逆位相信号とが信号混合部１８において混合される程度に音声信号を遅延できれば足り、遅延部２５がない場合であっても上記混合を実現することができるのであれば、必ずしも必要ではない。
【００３９】
本実施形態によれば、リモートコントローラ１０の音量アップキー１０Ａや、音量ダウンキー１０Ｂ、タッチパネル１１のタッチ操作部１１Ｂを介して、音量レベルの変更が指示された場合、ノイズ除去部２２のポップ音検出部２４は、ポップ音に係る信号を抽出して検出するとともに、逆位相波形生成部１７は、ポップ音検出部２４が検出したポップ音の信号に基づいて、逆位相信号を生成する。このため、ノイズ除去部２２によって、実際に発生したポップ音に係る信号に対応した逆位相信号を生成することができる。
【００４０】
なお、上述した実施の形態は、あくまでも本発明の一態様を示すものであり、本発明の範囲内で任意に変形および応用が可能である。
本実施形態では、電子ボリューム１６によって音声信号にポップ音に係る信号が付加され、このポップ音に係る信号をノイズ除去部２２によって除去する例について説明したが、ノイズ除去部２２によって除去される信号は、電子ボリューム１６によるポップ音に係る信号に限らない。すなわち、ノイズ除去部２２は、音声信号が流れる音声信号ライン２０に接続された電子機器によって音声信号にノイズに係る信号が付加される場合において、当該ノイズに係る信号の波形と位相が逆の波形を有する逆位相信号を生成し、この逆位相信号をノイズに係る信号と混合することにより、当該ノイズに係る信号を除去することができる。
【００４１】
また、本実施形態では、車載オーディオ装置１がメディア再生装置を備えており、このメディア再生装置によって再生されるメディアの音声信号に付加されるポップ音に係る信号を除去する場合を例にして説明したが、音声信号はこれに限らず、ラジオ放送、テレビ放送などの各種放送の音声に係る音声信号でもよく、また、車載オーディオ装置１がナビゲーション機能を備えている場合は、ナビゲーションに供する音声に係る音声信号であってもよい。
また、信号混合部１８から出力される音声をモニタリングすることにより、信号混合部１８におけるポップ音に係る信号と、逆位相信号との混合の状況を監視するモニタリング部を設け、このモニタリング部の検出値を制御部１２に出力することにより、制御部１２が、モニタリング部の検出値を反映させた状態で、逆位相波形生成部１７を制御して逆位相信号を生成する構成であってもよい。
【図面の簡単な説明】
【００４２】
【図１】第１実施形態に係る車載オーディオ装置の機能的構成を示すブロック図である。
【図２】（Ａ）は、上昇時テーブルを模式的に示す図であり、（Ｂ）は、下降時テーブルを模式的に示す図である。
【図３】車載オーディオ装置の動作を示すフローチャートである。
【図４】第２実施形態に係る車載オーディオ装置の機能的構成を示すブロック図である。
【図５】第３実施形態に係る車載オーディ装置の機能的構成を示すブロック図である。
【符号の説明】
【００４３】
１  車載オーディオ装置（音響装置）
１０  リモートコントローラ（音量変更指示手段）
１１  タッチパネル（音量変更指示手段）
１２  制御部
１２Ｃ  ポップ音データ生成部
１４  記憶部（ノイズ記憶手段）
１６  電子ボリューム（電子機器）
２０  音声信号ライン
２２  ノイズ除去部（ノイズ除去手段）
【図１】
2010124345.tif 000003
【図２】
2010124345.tif 000004
【図３】
2010124345.tif 000005
【図４】
2010124345.tif 000006
【図５】
2010124345.tif 000007